(57)【要約】【課題】ヘアキャッチャーの髪の毛を捕捉する部分の、全体に殺菌水が流れるようにすることで、使用者が容易にヘアキャッチャーから髪の毛を取り除くことができる浴室殺菌ユニットを提供する。【解決手段】  洗い場床の端辺に、縦断面視で凹状に形成された排水凹部が形成されており、排水凹部の底部には、上部に開口を有する排水トラップが取設されており、排水トラップの開口には、網目部を有するヘアキャッチャーが着脱可能に取り付けられており、殺菌水吐水部は、排水凹部内に全周から殺菌水が流れるように吐水することを特徴。【選択図】図１
2009178181.tif 000002
【特許請求の範囲】
【請求項１】
浴槽と、
前記浴槽に隣接する洗い場床と、
殺菌水を生成する殺菌水生成装置と、
前記殺菌水生成装置により生成された殺菌水を前記洗い場床に吐水する殺菌水吐水部と、を備えた浴室殺菌ユニットであって、
前記洗い場床の端辺には、縦断面視で凹状に形成された排水凹部が形成されており、
前記排水凹部の底部には、上部に開口を有する排水トラップが取設されており、
前記排水トラップの開口には、網目部を有するヘアキャッチャーが着脱可能に取り付けられており、
前記殺菌水吐水部は、前記排水凹部内に全周から殺菌水が流れるように吐水することを特徴とする浴室殺菌ユニット。
【請求項２】
前記殺菌水吐水部は、前記ヘアキャッチャーの網目部全面に殺菌水が行き渡るように殺菌水を吐水することを特徴とする請求項１記載の浴室殺菌ユニット。
【請求項３】
前記ヘアキャッチャーの網目部は外方側から内方側に向けて、下り傾斜する傾斜部を有していることを特徴とする請求項１または２記載の浴室殺菌ユニット。
【請求項４】
前記ヘアキャッチャーの中央には、前記網目部より上方に開口が配置され、下面まで貫通された筒部を有していることを特徴とする請求項１〜３いずれかに記載の浴室殺菌ユニット。
【請求項５】
前記洗い場床の前記浴槽側端辺から、該浴槽の前記洗い場床側端辺までを掩蔽するバスエプロンを備え、
前記排水凹部は、前記浴槽側端辺の中央付近に形成されており、
前記殺菌水吐水部は、前記洗い場床上の全面に殺菌水が流れるように、
且つ前記排水凹部の上方近傍のバスエプロンに直接殺菌水がぶつかるように殺菌水を吐水することを特徴とする請求項１〜４いずれかに記載の浴室殺菌ユニット。
【請求項６】
前記洗い場床の前記浴槽側端辺から、該浴槽の前記洗い場床側端辺までを掩蔽するバスエプロンを備え、
前記排水凹部は、前記浴槽側端辺のコーナー付近に形成されており、
前記殺菌水吐水部は、前記洗い場床上の全面に殺菌水が流れるように、
且つ前記排水凹部の上方近傍のバスエプロンおよび壁面に直接殺菌水がぶつかるように殺菌水を吐水することを特徴とする請求項１〜４いずれかに記載の浴室殺菌ユニット。
【請求項７】
前記ヘアキャッチャーは、取っ手部を有していることを特徴とする請求項１〜６いずれかに記載の浴室殺菌ユニット。
【発明の詳細な説明】
【技術分野】
【０００１】
本発明は、浴室の洗い場に殺菌水を吐水して、細菌の発生を抑制する浴室殺菌ユニットに関する。
【背景技術】
【０００２】
従来、殺菌性物質又はイオンを含有する殺菌水を散布して、浴室の細菌の発生を抑制する浴室防汚装置が提案されている（例えば、特許文献１参照。）。
斯かる浴室防汚装置においては、殺菌水を霧状、粒状、流水状等の形態で、浴室壁や洗い場床に散布することにより、細菌に起因する浴室壁や洗い場床の表面に生じる汚れを防止することができることが開示されている。
【特許文献１】特開平９−２２０２７３号公報
【発明の開示】
【発明が解決しようとする課題】
【０００３】
洗い場床や浴室壁に散布された水は、洗い場床上を排水勾配に沿って流れ、洗い場床の端部に形成された排水凹部に集水される。排水凹部の底部には、排水トラップが取設されており、この排水トラップの開口には、髪の毛を捕捉するためのヘアキャッチャーが着脱可能に取り付けられている。ヘアキャッチャーに捕捉された髪の毛は、使用者が適宜、取り除くことが必要となるが、ヘアキャッチャーには石鹸カスや皮脂汚れによってヌメリも発生する。ヌメリが発生すると、髪の毛をヘアキャッチャーから取り除くことが困難となる。このような、ヘアキャッチャーに付着するヌメリは、殺菌水を流すことで抑制することができる。
【０００４】
しかし、排水トラップが取設される排水凹部は、上部が排水蓋で覆われており、且つ洗い場床の端辺部に形成されているため、特許文献１のように洗い場床上から排水凹部内に流入する殺菌水のみでは、排水凹部の全周から殺菌水を流入させることができない。同時に、ヘアキャッチャーも全周から殺菌水が流れ込まないことになるため、ヘアキャッチャーの一部で殺菌水が流れない部分が生じてしまうという問題があった。
【０００５】
本発明は上述の問題に鑑みてなされ、ヘアキャッチャーの髪の毛を捕捉する部分の、全体に殺菌水が流れるようにすることで、使用者が容易にヘアキャッチャーから髪の毛を取り除くことができる浴室殺菌ユニットを提供する。
【課題を解決するための手段】
【０００６】
本発明の一態様によれば、浴槽と、前記浴槽に隣接する洗い場床と、殺菌水を生成する殺菌水生成装置と、前記殺菌水生成装置により生成された殺菌水を前記洗い場床に吐水する殺菌水吐水部と、を備えた浴室殺菌ユニットであって、前記洗い場床の端辺には、縦断面視で凹状に形成された排水凹部が形成されており、前記排水凹部の底部には、上部に開口を有する排水トラップが取設されており、前記排水トラップの開口には、網目部を有するヘアキャッチャーが着脱可能に取り付けられており、前記殺菌水吐水部は、前記排水凹部内に全周から殺菌水が流れるように吐水することを特徴とする。
【発明の効果】
【０００７】
本発明に係る浴室殺菌システムによれば、ヘアキャッチャーの髪の毛を捕捉する部分の、全体に殺菌水が流れるようにすることで、使用者が容易にヘアキャッチャーから髪の毛を取り除くことができる浴室殺菌ユニットを提供することができる。
【発明を実施するための最良の形態】
【０００８】
本発明に係る浴室殺菌ユニットの一実施形態について、添付図面を参照して説明する。図１は、本実施形態に係る浴室殺菌システムの全体的な概要を示すものである。
【０００９】
この浴室殺菌システムは、浴槽２と、浴槽２の長辺側に隣接する洗い場床３と、浴槽２側から洗い場床３を隔てて浴槽２に対向する第１の壁面４へ横設された浴室カウンタ５と、浴室殺菌装置１とから構成される。洗い場床３は、排水凹部７内に向かって排水用の下り勾配が取られている。ここで、浴室カウンタ５は、第２の壁面に取り付けられており、浴槽２のリム２ａと同一高さ、または低い位置に配置されている。
【００１０】
また、この浴室には、洗い場床３の浴槽２側端辺から、浴槽２の洗い場床３側端辺までを掩蔽するバスエプロン６と、洗い場床３の浴槽２側端辺に、洗い場床３より一段低く形成され、排水トラップ（図示せず）が取設される排水凹部７が設けられ、排水凹部７上面には、洗い場床上の水が排水凹部７内に流入可能な程度の隙間を空けて排水蓋８が載置される。
【００１１】
浴室殺菌装置１は、制御ボックス１０と、機能ユニット１１と、殺菌水吐水部に該当する散布ノズル１２と、リモコン１３とを備える。
制御ボックス１０は、浴室の天井裏に設置され、リモコン１３からの指示により、機能ユニット１１内の後述する電磁弁及び電解槽を制御する。機能ユニット１１は、殺菌水を生成するユニット（殺菌水生成装置）であり、浴室カウンタ内に内蔵され、その先端には殺菌水を散布する散布ノズル１２が接続される。
【００１２】
リモコン１３は、浴室前の更衣室等の壁面に設置され、スイッチ１３ａとＬＥＤ１３ｂとを備える。スイッチ１３ａをＯＮにすると、浴室殺菌装置１が作動を開始するとともに、ＬＥＤ１３ｂが点灯し、浴室殺菌装置１が作動中であることを表示する。
浴室カウンタ５内部には、図２に示すように、洗い場水栓（図示せず）に給水／給湯する給水管１５及び給湯管１６が配管される。このうち給水管１５は、分岐されて、機能ユニット１１に水を供給する水道水導入管１５が接続される。
【００１３】
この水道水導入管１５の途中には止水栓１８が設けられ、この止水栓１８を閉めることにより、機能ユニット１１を取り外す際にも、浴室の通常の使用に支障を来さないようになっている。
【００１４】
水道水導入管１７により導入された水は、機能ユニット１１内において殺菌水に変成され、殺菌水導出管１９を経由して散布ノズル１２へと送られる。
【００１５】
機能ユニット１１は、図３（ａ）に示すように、ケース２０内に、水道水導入管１７に接続する流入口２１を介して順に、電磁弁２２、定流量弁２３、大気開放弁２４、逆止弁２５、及び電解槽２６が連通され、電解槽２６は、流出口２７を介して殺菌水導出管に接続される。ここで、流入口および流出口は浴室カウンターの前端部側に配置されるように取設されており、流入口と流出口の軸はそれぞれ対角位置に配置されている。電解槽を介して流入口と流出口を連通するための管路部は、流入口から浴室カウンターの後端部側に直進する往路部と、流出口から浴室カウンターの後端部側に直進する復路部と、往路部および復路部の浴室カウンター後端部側の端部を連通するためにＵ字状に屈曲すると共に、復路部が往路部に比べて高い位置に配置されるように取り付けられる屈曲部と、を有している。
【００１６】
機能ユニット１１は、ケース２０内にウレタン樹脂２８が充填されて、防水構造とされている。これにより、電気部品の端子部の防水と、通水部からの漏水が防止される。
また、図３（ｂ）に示すように、機能ユニット１１の大きさを最小とすべく、流入ロ２１と流出口２７の軸が、ケース２０の対角に位置するように配設される。
リモコン１３のスイッチ１３ａが押されると、制御ボックス１０からの指示により電磁弁２２が開閉する。そして、電磁弁２２が開くことにより通水され、定流量弁２３により流量が一定に保たれる。これにより、生成される殺菌水の濃度が一定に保たれると同時に、散布ノズル１２から散布される殺菌水の水圧も一定に保たれ、所望の範囲に殺菌水を散布することが可能となる。
【００１７】
通水状態になると、電解槽２６の電極２９に通電が開始され、電極２９の電気分解が行われて銀イオンが発生する。銀イオンを含有する水は殺菌水として散布ノズル１２へ送られる。こうして生成された殺菌水は、逆止弁２５により給水管１５へと逆流することが防止される。
【００１８】
大気開放弁２４は、通電時（電磁弁開）においては閉止状態になって、水が外部に漏出することが防止され、待機時（電磁弁閉）には開放状態になって、逆止弁２５より下流側は空気と置換される。これにより、電解槽２６内に残存水が残ることが防止される。
【００１９】
電解槽２６の電極２９は、銀、銀合金または銀メッキ金属により形成され、電極２９の電気分解が行われると銀イオンが発生する。この電極２９は、図４（ａ）に示すように、電極２９同士が水平になるような位置関係で設置されている。これにより、図４（ｂ）に示すように、待機時に残存水の表面張力による電極の導通状態が回避される。このようにすることで、電解槽をコンパクト（厚みを薄く）にしても、待機時に残存水の表面張力によって電極が導通状態になることを回避できる。
【００２０】
散布ノズル１２は、図５に示すように、大別して、殺菌水導出管１９に接続されるボディ３０と、その先端に軸支される回転体３１とから構成される。回転体３１はまた、上側部材３２と下側部材３３とに分割され、ワッシャ３４を介して、固定ビス３５により、ボディ３１の先端に回転自在に取設される（図７参照。）。回転体３１はこのように取り外し可能かつ分解可能に形成されているので、その内部及びボディ３０の先端を清掃することができる。
【００２１】
回転体３１（の下側部材３３）には、図６（ａ）に示すように、４対８個の液体噴出孔３３ａ，３３ｂ，３３ｃ，３３ｄが設けられる。これらの液体噴出孔３３ａ，３３ｂ，３３ｃ，３３ｄは、回転体３１の回転中心から同一方向へ同一距離偏心して設けられるので、通水状態になると、水流により回転し、洗い場床３ヘ殺菌水を万遍なく散布することができる。
【００２２】
これらのうち、液体噴出孔３３ａは、図６（ｂ）に示すように、水平に開口するものの、液体噴出孔３３ｂは、図６（ｃ）に示すように、仰角４°に開口する。また、液体噴出孔３３ｃは、図６（ｄ）に示すように、仰角８°に、液体噴出孔３３ｄは、図６（ｄ）に示すように、仰角１２°にそれぞれ開口する。
これにより、洗い場床３の散布ノズル近傍から遠方まで、万遍なく散布することができる。なお、各液体噴出孔の仰角は、散布する洗い場床の広さに応じて適宜決定される。
ところで、ボディ３０の先端は、図７に示すように、直径Ｄ１に形成された軸先端３０ａのさらに先に直径Ｄ２の最先端３０ｂが段落ちして形成される。これに対応して、上側部材３２には、軸先端３０ａが挿通可能な直径Ｄ１’の挿通孔３２ａが形成され、下側部材３３には、最先端３０ｂが挿通可能なものの軸先端３０ａは挿通不能な直径Ｄ２’’の挿通孔３３ｅが形成される。
【００２３】
これにより、回転体３１を分解した後、誤って上側部材３２と下側部材３３とを上下逆に取り付けることが防止されるので、液体噴出孔３３ｂ，３３ｃ，３３ｄは仰角を確保でき、常に上方を指向して開口する。
本実施の形態に係る浴室殺菌システムは上記のように構成されており、以下その殺菌水散布状態について説明する。図８は、殺菌水の散布状態を示す平面図であり、図９は同立面図である。
【００２４】
図８に示すＧのエリアは、主に仰角０°の液体噴出孔３３ａからの殺菌水が散布されるエリアであり、同Ｈのエリアは、主に仰角４°の液体噴出孔３３ｂからの殺菌水が散布されるエリア、同じく、Ｉ及びＪのエリアは、それぞれ主に仰角８°及び１２°の液体噴出孔３３ｃ及び３３ｄからの殺菌水が散布されるエリアである。このように、液体噴出口３３ａ，３３ｂ，３３ｃ，３３ｄの仰角を異ならせることにより広範囲に亘って殺菌水を散布することが可能となる。
【００２５】
これに対し、図８に示すＦのエリアには、殺菌水は直接散布されない。このエリアには、図９に示すように、散布ノズル１２より奥側で浴室カウンタが取設される第１の壁面、第１の壁面近傍側の第２の壁面４、または第１の壁面近傍側のバスエプロン６に当たり跳ね返った水、及び跳ね返った後そこから洗い場床３の勾配に沿って流れ下る殺菌水により洗浄される。このように、散布ノズル１２が回転して吐水する形態であるため、散布ノズルから離れたエリアＧ，Ｈ，Ｉ，Ｊエリア用の液体噴出孔を設けておけば、必然的に散布ノズル１２近傍の洗い場床上は、大量の殺菌水が流れることになる。これにより、洗い場床上全面に殺菌水を行き渡らせることが可能となる。特に、水道圧力のみで、散布ノズル１２遠方側まで殺菌水を散布するためには、液体噴出孔の総孔面積に限界があるが、本実施形態では、散布ノズルから離れたエリアＧ，Ｈ，Ｉ，Ｊエリア用の液体噴出孔のみで足りるため、水道水圧のみで洗い場床の全面に殺菌水を行き渡らせることができる。
【００２６】
この点、散布ノズル１２は、浴槽２と洗い場床３を隔てて対向する壁面４近傍、すなわち、排水凹部７と対角位置となる水上に取設されるので、散布ノズル近傍においても殺菌水が廻らないエリアはない。このように、浴室カウンタ１２における、排水凹部７とは離れた側の散布ノズルが取り付けられているため、カウンターの全面に長時間、殺菌水を直接、吐水することができる。
【００２７】
また、散布ノズル１２は、浴室カウンタ５下部に取設されるので、浴室カウンタ５下部が陰になって、殺菌水が廻らないということもない。
他方、液体噴出口３３ｄの仰角は一定以下に抑えられるので、無闇に広いエリアに散布することはなく、経済的であるばかりでなく、図９に示すように、殺菌水は最高位置でも浴槽２のリム２ａの高さを超えないので、風呂蓋に殺菌水がかかることもない。
【００２８】
さらに、殺菌水は、バスエプロン６に向かっても散布されるので、図１０に示すように、排水凹部７上の排水蓋８とバスエプロン６との間にできる隙間には、バスエプロン６に当たって流れ落ちる殺菌水によって洗浄される。このように、洗い場床３を流れ落ちる殺菌水だけでは網羅できないエリア（排水凹部におけるバスエプロン６側の端辺であって、特にその中央付近は洗い場床上を流れた殺菌水が流れにくい。）に対しても、排水凹部の上方近傍のバスエプロンに殺菌水を直接吐水することで、排水凹部の全周から殺菌水を流すことが可能となる。ここで、排水凹部の上方近傍のバスエプロンとは、排水ピットの洗い場床とは隣接していないバスエプロン側端辺の直上近傍のバスエプロンのことである。
【００２９】
図１１に排水凹部７内の構造を示す。排水凹部７には、凹状に形成された排水凹部が形成されており、前記排水凹部７の底部には、上部に開口を有する排水トラップ１００が取設されており、前記排水トラップ１００の開口には、網目部を有するヘアキャッチャー９０が着脱可能に取り付けられている。図中斜線で排水凹部７に流れこむ殺菌水の流線を示したが、洗い場床３を通って流れこむ流れと、バスエプロン６に当たって流れ落ちる流れにより、排水凹部内において全周から殺菌水が流れこむ。殺菌水の散布ノズル１２を、排水凹部内に全周から殺菌水が流れ込むように吐水することで、排水凹部７内の全面に殺菌水を接触させ、ヌメリを引き起こす細菌を増殖させない。
【００３０】
図１２に排水トラップに装着されたヘアキャッチャー９０を示す。ヘアキャッチャー９０は、外周部９０ａと、網目部９０ｂ、中央開口部９０ｃ、取っ手部９０ｄからなる。中央開口部９０ｃは、万が一網目部９０ｂがゴミで閉塞した場合、この開口部を通して水を排水トラップに流すようになっている。ヘアキャッチャーの網目部９０ｂは、外方側から内方側に向けて、下り傾斜する傾斜部を有している。殺菌水が前記傾斜部をくだり、中央開口部９０ｃまで到達できるため、網目部９０ｂの全面が殺菌水に接触することが可能となる。髪の毛は、網目部に捕捉され、そこに石鹸カスやシャンプーがからみ、細菌が繁殖する過程で、ヌメリが加わり、掃除する人に不快な思いをさせるが、本発明によれば、ヘアキャッチャーの網目部全面に殺菌水を接触させることができ、ヌメリのない髪の毛となるため、掃除の負荷が軽くなる。また、図１２（ｂ）は排水トラップ１００断面を示すが、排水トラップ１００は、封水部１００ａとヘアキャッチャー取り付け部１００ｂを有し、取り付け部１００ｂにヘアキャッチャーの外周部９０ａをはめ込み、ヘアキャッチャーの外れを防止する。排水凹部７に流れ込んだ水は、ヘアキャッチャーの網目部９０ｂを通過し、排水トラップの封水部１００ａへと流れこむ。このように、網目部に補足された髪の毛にヌメリが発生しないため、使用者は取っ手部を掴み、ヘアキャッチャーを取り外した状態で、容易に髪の毛を網目部から外すことが可能となる。
【００３１】
図１３は、排水凹部が洗い場床３の浴槽側端辺のコーナー付近に設けられた実施形態を表す。散布ノズル１２は回転するため、ノズルを中心として、円形状に殺菌水が散布される。ノズルの吐水口角度によって、殺菌水の床面の散布領域がＧＨＩＪエリアとなる。このように殺菌水を吐水することで、３つの壁面かバスエプロン６のいずれかに殺菌水が当たる。床面のＦエリアは、床面に殺菌水が直接当たる吐水口は設けず、壁に当たって床面に流れ落ちた殺菌水が、床の傾斜に従って排水口まで流れる。ＧＨＩＪエリアに散布ノズル１２から直接当たる殺菌水の流れは、排水口から遠ざかる速度成分を有し、壁から流れてくる流れとぶつかり、殺菌水の排水速度を落とす作用を引き起こす。以上により、散布ノズル１２から散布された殺菌水が、直接排水口に流れこむのを避け、できるだけ長い時間、床面に殺菌水を滞留させることができる。以上の通り、本実施形態における散布ノズルは、洗い場床上に殺菌水を吐水させる状況においては、排水凹部に向かって下り傾斜している排水勾配に逆らうように吐水させることができる。
【００３２】
本実施形態では排水凹部の上方近傍のバスエプロンおよび第１の壁面４２に直接殺菌水がぶつかるように殺菌水を吐水している。従って、散水ノズル１２から、バスエプロン６と浴室カウンタ５側が取設される第１の壁面４２に直接当たった殺菌水は、コーナー付近に設けられた排水凹部７の４辺のうち、２辺から流れ込み、残り２辺には洗い場床３から流れこむため、排水凹部内に全周から殺菌水が流れ込むようになる。
【００３３】
本発明における殺菌水としては、殺菌性物質又はイオンを含有する水を例示することができる。具体的には、遊離塩素、抗菌性金属（例えば、銀、銅、亜鉛等）又はそのイオン、オゾン、オゾン含有水、結合塩素、有機塩素系消毒液、有機リン酸系消毒液、ベルオクソ
炭酸イオン又はその塩、アルコール系消毒液などを挙げることができる。
【００３４】
上述した本実施形態による浴室殺菌ユニットによれば、以下の効果が得られる。
ヘアキャッチャーの髪の毛を捕捉する部分の、全体に殺菌水が流れるようにすることで、使用者が容易にヘアキャッチャーから髪の毛を取り除くことができる。
排水凹部内に全周から殺菌水が流れこむため、排水口内を全体的に清潔に保持できる。殺菌水に接触しない部分があると、そこだけ細菌が繁殖してピンクや黄色になり使用者の不快の原因となるが、本発明はそれが避けられる。
【００３５】
本発明の実施形態は、殺菌水の吐水を回転ノズルによって行う例を示したが、回転ノズルに制限されるものではない。たとえば、１個の固定ノズルから排水口近傍に殺菌水を吐水し、排水凹部の４辺すべてから殺菌水が流れこむようにすることも本発明の範囲に含まれる。また複数のノズルを組み合わせて殺菌水を吐水し、排水凹部の４辺すべてから殺菌水が流れこむようにすることも本発明の範囲に含まれる。
【００３６】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３７】
【図１】本発明に係る浴室殺菌システムの一実施形態の全体概要を示す図。
【図２】浴室カウンタ裏面に取設された機能部を示す図で、（ａ）は平面図、（ｂ）は正面図、（ｃ）は側面図。
【図３】機能部の詳細を示す図で、（ａ）は正面図、（ｂ）は側面図図。
【図４】銀電極の配置を模式的に説明する図。
【図５】散布ノズルの構成を示す図。
【図６】散布ノズルの回転体を示す図で、（ａ）は平面図、（ｂ）はＢ−Ｂ断面図、（ｃ）はＣ−Ｃ断面図、（ｄ）はＤ−Ｄ断面図、（ｅ）はＥ−Ｅ断面図。
【図７】散布ノズルの分解断面図。
【図８】殺菌水の散布状態を示す平面図。
【図９】殺菌水の散布状態を示す立面図。
【図１０】排水凹部廻りにおける殺菌水の散布状態を示す斜視図。
【図１１】排水凹部内を示す図。
【図１２】排水トラップに装着されたヘアキャッチャーを示す図で、（ａ）は斜視図、（ｂ）は断面図。
【図１３】排水凹部が洗い場床コーナーに設けられた場合の殺菌水の散布状態を示す図で、（ａ）は斜視図、（ｂ）は殺菌水の散布状態を示す平面図。
【符号の説明】
【００３８】
１  浴槽殺菌装置
２  浴槽
２ａ  リム
３  洗い場床
４  壁面
５  浴室カウンタ
６  バスエプロン
７  排水凹部
８  排水蓋
１０  制御ボックス
１１  機能ユニット
１２  散布ノズル
１３  リモコン
１３ａ  スイッチ
１３ｂ  ＬＥＤ
１５  給水管
１６  給湯管
１７  水道水導入管
１８  止水栓
１９  殺菌水導出管
２０  ケース
２１  流入口
２２  電磁弁
２３  定流量弁
２４  大気開放弁
２５  逆止弁
２６  電解槽
２７  流出口
２８  ウレタン樹脂
２９  電極
３０  ボディ
３０ａ  軸先端
３０ｂ  最先端
３１  回転体
３２  上側部材
３２ａ  ３３ｅ  挿通孔
３３ａ，３３ｂ，３３ｃ，３３ｄ  液体噴出孔３３  下側部材
３４  ワッシャ
３５  固定ビス
４２  第一の壁面
９０  ヘアキャッチャー
９０ａ  外周部
９０ｂ  網目部
９０ｃ  中央開口部
９０ｄ  取っ手部
１００  排水トラップ
１００ａ  封水部
１００ｂ  ヘアキャッチャー取り付け部
【図１】
2009178181.tif 000003
【図２】
2009178181.tif 000004
【図３】
2009178181.tif 000005
【図４】
2009178181.tif 000006
【図５】
2009178181.tif 000007
【図６】
2009178181.tif 000008
【図７】
2009178181.tif 000009
【図８】
2009178181.tif 000010
【図９】
2009178181.tif 000011
【図１０】
2009178181.tif 000012
【図１１】
2009178181.tif 000013
【図１２】
2009178181.tif 000014
【図１３】
2009178181.tif 000015